(57)【特許請求の範囲】
【請求項１】
車両側ユニットから送信されるリクエスト信号に応答して、携帯機がＩＤコードを含むレスポンス信号を返送する相互通信を行うことによって、前記車両側ユニットが、前記携帯機からレスポンス信号を受信し、そのレスポンス信号に含まれるＩＤコードを予め登録してある登録コードと照合し、その照合結果に応じて、車載機器を制御する車載機器制御システムにおいて、
前記車両側ユニットは、
前記携帯機からのレスポンス信号を受信する受信機と
車両の車室内を前記携帯機との通信エリアとし、当該車室内に向けて前記リクエスト信号を送信する車室内送信機と、
車両ドアに設けられ、当該車両ドアのロックを指示するトリガスイッチと、
前記トリガスイッチが操作されない場合には、操作された場合に比較して、前記車室内送信機と前記携帯機との通信エリアを大きく設定する通信エリア可変手段と、
前記通信エリア可変手段によって設定された通信エリア内において、前記車室内送信機から送信されたリクエスト信号に応答するレスポンス信号が前記受信機にて受信されないことに基づいて、前記車両ドアをロックするロック制御手段と、
前記車両ドアの開閉動作を検出するドア開閉検出手段と、を備え、
前記ロック制御手段は、前記ドア開閉検出手段によって車両ドアの開閉動作が検出されると、まず、相対的に大きく設定される通信エリア内における、前記車室内送信機と携帯機との相互通信結果に基づいてドアロック制御を行うオートロック方式によるドアロック制御を実行し、そのオートロック方式によるドアロック制御の実行中に、前記トリガスイッチの操作が行われると、前記オートロック方式によりドアロック制御を中断して、相対的に小さく設定される通信エリア内における、前記車室内送信機と携帯機との相互通信結果に基づいてドアロック制御を行うトリガロック方式によるドアロック制御を割込により開始することを特徴とすることを特徴とする車載機器制御システム。
【請求項２】
前記通信エリア可変手段は、前記車室内送信機と前記携帯機との通信エリアを、予め定められた第１の通信エリアと、その第１の通信エリアよりも大きな通信エリアを有するように定められた第２の通信エリアとのいずれかに設定することを特徴とする請求項１に記載の車載機器制御システム。
【請求項３】
前記通信エリア可変手段は、前記車室内送信機から前記リクエスト信号を送信させる際の送信出力レベルと、前記携帯機における前記リクエスト信号の受信感度レベルとの少なくとも一方を調整することにより、前記通信エリアの大きさを変化させることを特徴とする請求項２に記載の車載機器制御システム。
【請求項４】
前記ロック制御手段は、前記トリガスイッチが操作されない場合、まず、前記車室内送信機と前記携帯機との通信エリアを前記第１の通信エリアに設定して相互通信を試みても、前記携帯機からのレスポンス信号が受信されないと、その後、前記車室内送信機と前記携帯機との通信エリアを前記第２の通信エリアに設定して、再度、相互通信を試みることを特徴とする請求項２又は請求項３に記載の車載機器制御システム。
【請求項５】
前記車両側ユニットは、ユーザに対して警報を発する警報発生手段を備え、
前記ロック制御手段は、前記車室内送信機と前記携帯機との通信エリアを前記第１の通信エリアに設定したときに、前記携帯機からのレスポンス信号が受信された場合、前記車両ドアをロックすることなく、前記警報発生手段によって警報を発生させることを特徴とする請求項４に記載の車載機器制御システム。
【請求項６】
前記ロック制御手段は、前記車室内送信機と前記携帯機との通信エリアを前記第２の通信エリアに設定したときに、前記携帯機からのレスポンス信号が受信された場合、所定回数だけ前記相互通信を繰り返し実行し、その所定回数の相互通信において、前記携帯機から継続してレスポンス信号が受信された場合に、前記車室内送信機と前記携帯機との相互通信を終了させ、かつ前記警報発生手段によって警報を発生させることを特徴とする請求項４又は請求項５に記載の車載機器制御システム。
【請求項７】
前記車両側ユニットは、車両の周囲を前記携帯機との通信エリアとし、前記車両の周囲に向けて前記リクエスト信号を送信する車室外送信機を備え、
前記ロック制御手段は、前記トリガスイッチが操作されない場合、前記車室内送信機から送信されたリクエスト信号に応答するレスポンス信号が前記受信機にて受信されないことを確認し、その後、前記車室外送信機から送信されるリクエスト信号に対して応答するレスポンス信号の受信が不成立となったタイミングで、前記車両ドアをロックすることを特徴とする請求項１乃至請求項４のいずれかに記載の車載機器制御システム。
【請求項８】
前記車両側ユニットは、ユーザに対して警報を発する警報発生手段を備え、
前記ロック制御手段は、前記車室外送信機から送信するリクエスト信号に応答するレスポンス信号の受信が、所定回数に達したとき、前記車室外送信機と前記携帯機との相互通信を終了させ、かつ前記警報発生手段によって警報を発生させることを特徴とする請求項７に記載の車載機器制御システム。
【請求項９】
前記車両側ユニットは、車両の周囲を前記携帯機との通信エリアとし、前記車両の周囲に向けて前記リクエスト信号を送信する車室外送信機を備え、
前記ロック制御手段は、前記トリガスイッチが操作されたとき、前記車室内送信機及び前記車室外送信機を用いて前記携帯機との相互通信を試みるとともに、前記車室内送信機からのリクエスト信号に対して応答するレスポンス信号が受信されず、かつ前記車室外送信機からのリクエスト信号に対して応答する、ＩＤコードの照合結果がＯＫとなるレスポンス信号が受信されたとき、前記車両ドアをロックすることを特徴とする請求項１乃至請求項４のいずれかに記載の車載機器制御システム。
【請求項１０】
前記ロック制御手段は、トリガロック方式によるドアロック制御を実行した際、前記車室外送信機と前記携帯機との相互通信において、ＩＤコードの照合結果がＯＫとなるレスポンス信号が受信されない場合、中断したオートロック方式によるドアロック制御を再開することを特徴とする請求項９に記載の車載機器制御システム。
【請求項１１】
前記車両側ユニットは、
車両のエンジンの運転状態を制御するエンジン制御手段と、
ユーザによってエンジンの始動が指示されたときに、前記車室内送信機と前記携帯機との相互通信により、ＩＤコードの照合結果がＯＫとなるレスポンス信号が受信されたときに、前記エンジン制御手段に対してエンジンの始動を許可する許可手段とを備え、
前記許可手段による始動許可制御時には、前記通信エリア可変手段は、前記車室内送信機と前記携帯機との通信エリアを、前記トリガスイッチが操作されたときに設定される通信エリアに設定することを特徴とする請求項１乃至請求項１０のいずれかに記載の車載機器制御システム。
【発明の詳細な説明】
【技術分野】
【０００１】
本発明は、携帯機と車両側ユニットとが相互通信を行い、その通信結果に基づいて、車載機器を制御する車載機器制御システムに関する。
【背景技術】
【０００２】
従来、上述したような車載機器制御システムとして、たとえば特許文献１に開示されたシステムのように、ユーザが車両から離れると自動的にドアを施錠（ロック）するオートロック機能を備えたものが知られている。このシステムでは、オートロックが行われる距離をユーザが指定可能であって、「近距離」が指定されている場合には、車載機から携帯機へのＬＦ通信が成立しなくなったことに基づいてオートロック機能を実行し、「遠距離」が指定されている場合には、携帯機から車載機へのＵＨＦ通信が成立しなくなったことに基づいてオートロック機能を実行する。
【０００３】
一方、特許文献２に記載されるように、車両ドアのドアノブに設けられたスイッチが操作されたことをトリガとして、本体装置（車載機）と携帯用送受信機（携帯機）との相互通信を行い、携帯機から正常な応答信号が得られた場合に、車載機によってドアをロックするシステムが知られている。このシステムでは、ドアをロックする際に、携帯機の車室内への置き忘れを防止するために、本体装置から小出力の確認信号と大出力の確認信号とを出力する。すなわち、携帯機による小出力の確認信号の受信可能範囲が車室内とほぼ同じになるように予め設定されるので、小出力の確認信号に対する応答があった場合、携帯機は車室内に置き忘れたものと判断できる。
【０００４】
小出力信号に対する応答がなかった場合には、引き続き大出力の確認信号を送信して、携帯機からの応答の有無が確認される。この大出力の確認信号の受信可能範囲は、車体近傍の所定範囲を含むように設定されるので、大出力の確認信号に対する携帯機からの応答があった場合には、携帯機の保持者が車外にいるものと判断してドアのロックを行う。
【特許文献１】特開２００３−２６９０２３号公報
【特許文献２】特開平１０−５９１３１号公報
【発明の開示】
【発明が解決しようとする課題】
【０００５】
上述したように、車両ドアをロックする方式として、ユーザが車両から離れることで自動的に車両ドアをロックするオートロック方式と、ユーザが車両ドアに設けられたスイッチを操作したことをトリガとするトリガロック方式とがある。
【０００６】
ユーザの利便性を向上するためには、オートロック方式とトリガロック方式のいずれの方式によっても車両ドアをロックできることが望まれる。この場合、ユーザが車両から降車後、車両ドアに設けられたスイッチを操作することなく車両から遠ざかる場合には、オートロック方式によって車両ドアをロックし、車両ドアのスイッチが操作された場合には、トリガロック方式によって車両ドアをロックすることになる。
【０００７】
しかしながら、オートロック方式及びトリガロック方式のいずれの方式でも車両ドアのロックを行うことを可能とする場合、以下に述べる不具合が生じることが予想される。
【０００８】
車両ドアをロックする際には、上記した特許文献２に記載のように、車室内に携帯機を置き忘れて閉じ込めてしまうことを防止するために、車室内に向けてリクエスト信号を送信する車室内送信機を用いて、携帯機が車室内にあるか否かを確認することが好ましい。しかしながら、車室内の全てのエリアを携帯機との通信エリアとするように、車室内送信機のリクエスト信号の送信範囲を設定することは非常に困難である。なぜならば、そのようにリクエスト信号の送信範囲を設定すると、車両ドアの窓からリクエスト信号の送信電波の漏れが生じるためである。
【０００９】
車両ドアをロックするために、ユーザが車両ドアのスイッチを操作したとき、ユーザは比較的、車両の近傍に位置している。このため、リクエスト信号の送信電波漏れが生じると、ユーザの保持する携帯機が、その漏れたリクエスト信号に反応して、レスポンス信号を返送してしまう可能性が生じる。その結果、ユーザは携帯機を保持しているにもかかわらず、車室内に置き忘れていることを示す警報が行われたり、車両ドアのロックが行い得ない事態が生じる。
【００１０】
そのような不具合に対処するため、ユーザが車両ドアのスイッチを操作する際に、携帯機が反応しない程度に車室内送信機の送信出力を落とすと、車室内において、車室内送信機と携帯機との通信が不能となる不感帯エリアが生じてしまう。従って、万一、携帯機がこの不感帯エリア内に存在するときに、ユーザが車両から降車すると、車室内送信機との相互通信が不能であることを条件としてオートロック機能を実行する場合には、そのオートロック機能の実行によって携帯機が車室内に閉じ込められてしまう。あるいは、特許文献１に記載のように車室外をカバーする送信機との通信が成立しなくなったことを条件としてオートロック機能を実行する場合には、オートロック機能が実行されずに車両ドアがロックされないまま車両が放置される事態が発生する。
【００１１】
本発明は、上述した点に鑑みてなされたもので、オートロック方式とトリガロック方式のいずれの方式によっても適切に車両ドアをロックすることが可能な車載機器制御システムを提供することを目的とする。
【課題を解決するための手段】
【００１２】
上記目的を達成するために、請求項１に記載した車載機器制御システムは、車両側ユニットから送信されるリクエスト信号に応答して、携帯機がＩＤコードを含むレスポンス信号を返送する相互通信を行うことによって、車両側ユニットが、携帯機からレスポンス信号を受信し、そのレスポンス信号に含まれるＩＤコードを予め登録してある登録コードと照合し、その照合結果に応じて、車載機器を制御する車載機器制御システムにおいて、
車両側ユニットは、
携帯機からのレスポンス信号を受信する受信機と
車両の車室内を携帯機との通信エリアとし、当該車室内に向けてリクエスト信号を送信する車室内送信機と、
車両ドアに設けられ、当該車両ドアのロックを指示するトリガスイッチと、
トリガスイッチが操作されない場合には、操作された場合に比較して、車室内送信機と携帯機との通信エリアを大きく設定する通信エリア可変手段と、
通信エリア可変手段によって設定された通信エリア内において、車室内送信機から送信されたリクエスト信号に応答するレスポンス信号が受信機にて受信されないことに基づいて、車両ドアをロックするロック制御手段と、
車両ドアの開閉動作を検出するドア開閉検出手段と、を備え、
ロック制御手段は、ドア開閉検出手段によって車両ドアの開閉動作が検出されると、まず、相対的に大きく設定される通信エリア内における、車室内送信機と携帯機との相互通信結果に基づいてドアロック制御を行うオートロック方式によるドアロック制御を実行し、そのオートロック方式によるドアロック制御の実行中に、トリガスイッチの操作が行われると、オートロック方式によりドアロック制御を中断して、相対的に小さく設定される通信エリア内における、車室内送信機と携帯機との相互通信結果に基づいてドアロック制御を行うトリガロック方式によるドアロック制御を割込により開始することを特徴とする。
【００１３】
上記のように、請求項１記載の車載機器制御システムにおいては、車両ドアのロックを指示するトリガスイッチが操作されない場合には、操作された場合に比較して、車室内送信機と携帯機との通信エリアが大きく設定される。このため、ユーザがトリガスイッチを操作しないオートロック方式によって車両ドアのロックを行う際には、車室内全体をカバーする通信エリアを設定できる。その一方で、ユーザによるトリガスイッチの操作に基づいて、トリガロック方式によって車両ドアをロックする際には、ユーザが保持する携帯機との通信が不成立となる程度の大きさの通信エリアが設定できる。従って、オートロック方式及びトリガロック方式のいずれの場合であっても、車室内への携帯機の置き忘れを防止しつつ、車両ドアを適切にロックすることが可能になる。
【００１４】
また、車両側ユニットは、車両ドアの開閉動作を検出するドア開閉検出手段を備え、ロック制御手段は、ドア開閉検出手段によって車両ドアの開閉動作が検出された場合に、通信エリア可変手段によって設定された通信エリア内において、車室内送信機からリクエスト信号を送信して、携帯機との相互通信を試みるので、車両ドアをロックすべきか否かを判定することが必要な時に、車室内送信機と携帯機との相互通信を行わせることができる。その結果、車室内送信機及び携帯機とも無駄に電力を消費することを防止できる。
【００１５】
この場合、ロック制御手段は、ドア開閉検出手段によって車両ドアの開閉動作が検出されると、まず、相対的に大きく設定される通信エリア内における車室内送信機と携帯機との相互通信結果に基づいてドアロック制御を行うオートロック方式によるドアロック制御を実行し、そのオートロック方式によるドアロック制御の実行中に、トリガスイッチの操作が行われると、オートロック方式によりドアロック制御を中断して、相対的に小さく設定される通信エリア内における車室内送信機と携帯機との相互通信結果に基づいてドアロック制御を行うトリガロック方式によるドアロック制御を割込により開始する。ユーザによるトリガスイッチの操作は、行われない可能性もあるし、行われるにしても、それがいつであるかは特定できない。このため、ユーザがトリガスイッチの操作を行わない場合に備えて、まずオートロック方式によるドアロック制御を実行し、トリガスイッチが操作された場合に、割込みによりトリガロック方式によるドアロック制御を開始するのである。これにより、携帯機を保持したユーザが車両から離れる場合に、必ず、いずれかの方式によってドアをロックすることができる。
【００１６】
請求項２に記載したように、通信エリア可変手段は、車室内送信機と携帯機との通信エリアを、予め定められた第１の通信エリアと、その第１の通信エリアよりも大きな通信エリアを有するように定められた第２の通信エリアとのいずれかに設定することが好ましい。このように、予め大小２種類の大きさを持つ第１及び第２の通信エリアを定め、いずれかを選択して通信エリアとして設定することにより、それぞれの通信エリアを望ましい大きさのエリアに適切に設定することができる。
【００１７】
なお、請求項３に記載したように、通信エリア可変手段は、車室内送信機からリクエスト信号を送信させる際の送信出力レベルと、携帯機におけるリクエスト信号の受信感度レベルとの少なくとも一方を調整することにより、通信エリアの大きさを変化させることが可能である。
【００１８】
請求項４に記載したように、ロック制御手段は、トリガスイッチが操作されない場合、まず、車室内送信機と携帯機との通信エリアを第１の通信エリアに設定して相互通信を試みても、携帯機からのレスポンス信号が受信されないと、その後、車室内送信機と携帯機との通信エリアを第２の通信エリアに設定して、再度、相互通信を試みることが好ましい。これにより、携帯機の車室内から車室外への移動を追跡するように、携帯機の位置をモニタすることができる。
【００１９】
この場合、請求項５に記載したように、車両側ユニットは、ユーザに対して警報を発する警報発生手段を備え、ロック制御手段は、車室内送信機と携帯機との通信エリアを第１の通信エリアに設定したときに、携帯機からのレスポンス信号が受信された場合、車両ドアをロックすることなく、警報発生手段によって警報を発生させることが好ましい。車室内送信機と携帯機との通信エリアが第１の通信エリアに設定されているときに、携帯機からのレスポンス信号が受信された場合、携帯機は車室内に置き忘れられている可能性が高いためである。
【００２０】
さらに、請求項６に記載したように、ロック制御手段は、車室内送信機と携帯機との通信エリアを第２の通信エリアに設定したときに、携帯機からのレスポンス信号が受信された場合、所定回数だけ相互通信を繰り返し実行し、その所定回数の相互通信において、携帯機から継続してレスポンス信号が受信された場合に、車室内送信機と携帯機との相互通信を終了させ、かつ警報発生手段によって警報を発生させることが好ましい。上述した場合、携帯機は、車室内における第１の通信エリアの不感帯エリアに存在していたり、携帯機を保持しているユーザが車室外の電波漏れエリア内に止まっていたりすることが考えられる。この場合には、車室内送信機及び携帯機における消費電力抑制のため、相互通信を終了させる。また、ユーザに携帯機の位置の確認を促すため、警報を発生させる。
【００２１】
請求項７に記載したように、車両側ユニットは、車両の周囲を携帯機との通信エリアとし、車両の周囲に向けてリクエスト信号を送信する車室外送信機を備え、ロック制御手段は、トリガスイッチが操作されない場合、車室内送信機から送信されたリクエスト信号に応答するレスポンス信号が受信機にて受信されないことを確認し、その後、車室外送信機から送信されるリクエスト信号に対して応答するレスポンス信号の受信が不成立となったタイミングで、車両ドアをロックするようにしても良い。これにより、トリガスイッチが操作されない場合に、携帯機がユーザによって確実に車室外に持ち出されたことを確認した上で、車両ドアをロックすることができる。
【００２２】
この場合、請求項８に記載したように、車両側ユニットは、ユーザに対して警報を発する警報発生手段を備え、ロック制御手段は、車室外送信機から送信するリクエスト信号に応答するレスポンス信号の受信が、所定回数に達したとき、車室外送信機と携帯機との相互通信を終了させ、かつ警報発生手段によって警報を発生させることが好ましい。これにより、車室外送信機及び携帯機における消費電力の抑制を図ることができるとともに、警報によりユーザに携帯機の位置の確認を促すことができる。
【００２３】
請求項９に記載したように、車両側ユニットは、車両の周囲を携帯機との通信エリアとし、車両の周囲に向けてリクエスト信号を送信する車室外送信機を備え、ロック制御手段は、トリガスイッチが操作されたとき、車室内送信機及び車室外送信機を用いて携帯機との相互通信を試みるとともに、車室内送信機からのリクエスト信号に対して応答するレスポンス信号が受信されず、かつ車室外送信機からのリクエスト信号に対して応答する、ＩＤコードの照合結果がＯＫとなるレスポンス信号が受信されたとき、車両ドアをロックすることが好ましい。これにより、トリガスイッチがユーザによって操作されたとき、そのユーザが携帯機を保持していることを確認した上で、車両ドアをロックすることができる。
請求項１０に記載したように、ロック制御手段は、トリガロック方式によるドアロック制御を実行した際、車室外送信機と携帯機との相互通信において、ＩＤコードの照合結果がＯＫとなるレスポンス信号が受信されない場合、中断したオートロック方式によるドアロック制御を再開することが好ましい。
【００２４】
請求項１１に記載したように、車両側ユニットは、車両のエンジンの運転状態を制御するエンジン制御手段と、ユーザによってエンジンの始動が指示されたときに、車室内送信機と携帯機との相互通信により、ＩＤコードの照合結果がＯＫとなるレスポンス信号が受信されたときに、エンジン制御手段に対してエンジンの始動を許可する許可手段とを備え、
許可手段による始動許可制御時には、通信エリア可変手段は、車室内送信機と携帯機との通信エリアを、トリガスイッチが操作されたときに設定される通信エリアに設定するように構成しても良い。
【００２５】
これにより、携帯機が車室外にあるにも係わらず、エンジンの始動が可能となる事態の発生を防止することができる。
【発明を実施するための最良の形態】
【００２６】
以下、本発明の実施形態に係る車載機器制御システムを、図に基づいて説明する。図１は、本実施形態による車載機器制御システムの全体の構成を示す構成図である。
【００２７】
本実施形態における車載機器制御システムは、携帯機１と車両側ユニットとの相互通信によるＩＤコードの照合結果を基に、各ドアのロック・アンロック状態を制御する。また、車両側ユニットは、車両１０のセキュリティ性を向上するために、車両１０のエンジン始動の許可・禁止状態等の制御も行う。
【００２８】
図１に示すように、携帯機１は、車両側ユニットの車室外送信機２ａ〜２ｄあるいは車室内送信機２ｅからのリクエスト信号を受信する受信機１ａ、このリクエスト信号の受信に応答して、ＩＤコード等を含むレスポンス信号を送信する送信機１ｂを備えている。携帯機ＥＣＵ１ｃは、上述した受信機１ａ及び送信機１ｂと接続され、各種の制御処理を実行する。具体的には、携帯機ＥＣＵ１ｃは、受信機１ａの受信信号に基づいてリクエスト信号の受信の有無を判定したり、そのリクエスト信号の受信に応答して、ＩＤコード等を含むレスポンス信号を生成し、送信機１ｂから送信させたりする。
【００２９】
車両側ユニットは、車両１０の各ドア１１〜１４に設けられた車室外送信機２ａ〜２ｄ及び車室内に設けられた車室内送信機２ｅを有する。これらの車室外送信機２ａ〜２ｄ及び車室内送信機２ｅは、車両側ユニットの照合ＥＣＵ４からの送信指示信号に基づいてリクエスト信号を送信する。
【００３０】
車室外送信機２ａ〜２ｄのリクエスト信号の到達距離は、例えば０．７〜１．０ｍ程度に設定される。車両１０の駐車時には、定期的に、リクエスト信号の到達距離に応じた携帯機１との通信エリアが車両１０の各ドア１１〜１４の周囲に形成され、携帯機１の保持者が車両１０に接近したことを検知できるようにしている。また、車室内送信機２ｅによる携帯機１との通信エリアは、エンジンの始動時や、ドアロック時等に車室内をカバーするように形成され、携帯機１が車室内にあるか否かを検知する。なお、車室内送信機２ｅは、例えば主に前席をカバーする通信エリアを有する前席用車室内送信機と、主に後席をカバーする通信エリアを有する後席用車室内送信機から構成しても良い。この場合、前席用車室内送信機と後席用車室内送信機の各々の通信エリアを組み合わせた合算通信エリアが、車室内全体をカバーすることになる。
【００３１】
本実施形態においては、車室内送信機２ｅは、出力レベル調整回路２ｅ１を備えており、この出力レベル調整回路２ｅ１によってリクエスト信号送信出力レベルを変化させることが可能である。その結果、車室内送信機２ｅは、リクエスト信号の送信エリアの大きさ、すなわち、携帯機１との通信エリアの大きさを変化させることができる。
【００３２】
ここで、図２を用いて、車室内送信機２ｅの通信エリアについて説明する。車室内送信機２ｅの出力レベル調整回路２ｅ１は、予め２段階にリクエスト信号送信出力レベルを変化させるように設定されている。このリクエスト信号送信出力レベルの２段階のレベルに関しては、リクエスト信号の送信電波が車両ドアの窓を介して漏れることを極力防止することを主眼に置いて低出力レベルが決定され、車室内において、携帯機１との通信不能な不感帯エリアが発生することを防止することを主眼において高出力レベルが決定されている。
【００３３】
従って、リクエスト信号送信出力レベルが低出力レベルである場合、図２に示すように、多少の不感帯エリアの発生を許容しつつ、ほぼ車室内をカバーし、車両ドアの窓を介しての車室外への拡張が防止された第１の車室内通信エリアが形成される。また、リクエスト信号送信出力レベルが高出力レベルである場合、図２に示すように、車室内を完全にカバーしつつ、さらに、車両ドアの窓を介して車室外まで拡張された第２の車室内通信エリアが形成される。
【００３４】
また、車両側ユニットは、車両１０の車室内に設けられ、送信機２ａ〜２ｅに対する送信指示信号の出力と同期してレスポンス信号受信可能状態にされて、携帯機１から送信されるレスポンス信号を受信する受信機３を有する。受信機３が受信したレスポンス信号は、照合ＥＣＵ４に出力される。
【００３５】
照合ＥＣＵ４は、この受信したレスポンス信号に含まれるＩＤコードが予め登録されている登録コードと一致等、所定の関係を満足するかの照合を行う。そして、照合ＥＣＵ４は、その照合結果がＯＫかＮＧかに応じて、ボデーＥＣＵ７とともに、ドアのロック・アンロック状態やエンジンの始動の許可・停止等を制御する。
【００３６】
ボデーＥＣＵ７は、車両に搭載された各機器に対して、電源の供給や停止を制御するとともに、各車両ドア１１〜１４のロック・アンロック状態を制御するための駆動信号を各ドア１１〜１４に設けられたロック制御部５ａ〜５ｄに出力するものである。このボデーＥＣＵ７には、エンジンを始動する条件が成立したか否かを判定するために、各センサやスイッチ（ＳＷ）からの信号が入力されている。具体的には、運転席近傍に設けられ、ユーザがエンジンの始動・停止を指示するために操作するエンジンスイッチ、車両の走行速度を検出する車速センサ、トランスミッションのシフト位置を検出するシフト位置センサ、及び運転車によってブレーキペダルが操作されたときにＯＮ信号を出力するストップランプスイッチ、ドアの開閉を検出するためのドアカーテシランプスイッチなどの信号がボデーＥＣＵ７に入力される。
【００３７】
ボデーＥＣＵ７は、エンジンを始動する条件が成立したと判定して、各車両搭載機器に電源を供給する場合には、リレー回路８を駆動し、当該リレー回路８を介して、図示しないバッテリから各車両搭載機器へ電源を供給する。
【００３８】
また、車両側ユニットは、車両１０の各ドア１１〜１４に設けられ、その各ドア１１〜１４をロック、アンロックするロック制御部５ａ〜５ｄを有する。具体的には、ロック制御部５ａ〜５ｄはボデーＥＣＵ７から送信されるロック信号／アンロック信号に応じて正転／逆転するドアロックモータを有し、このドアロックモータの回転によって各車両ドア１１〜１４をロック、またはアンロックする。
【００３９】
車両１０の各ドア１１〜１４のドアハンドル６ａ〜６ｄには、タッチセンサ６ａ１〜６ｄ１が設けられており、携帯機１の保持者が、ドアハンドル６ａ〜６ｄに触れて、ドアハンドル６ａ〜６ｄに対して操作を行ったことを検出することが可能である。また、ドアハンドル６ａ〜６ｄには、プッシュスイッチとして構成されたドアロックスイッチ６ａ２〜６ｄ２も設けられている。このドアロックスイッチ６ａ２〜６ｄ２を操作すると、各ドア１１〜１４をロックすることができる。また、ドアハンドル６ａ〜６ｄは、上述した車室外送信機２ａ〜２ｄのアンテナとしての役割も果たしている。
【００４０】
なお、携帯機１の保持者による車両ドア１１〜１４に対する操作の検出は、タッチセンサ６ａ１〜６ｄ１によらず、例えば、ドアハンドル６ａ〜６ｄが手前に引かれたことを機械的に検出する検出機構等を用いても良い。また、ドアハンドル６ａ〜６ｄに、アンロックボタンを設置し、このアンロックボタンの操作により、車両ドア１１〜１４に対する操作を検出しても良い。また、タッチセンサ６ａ１〜６ｄ１とドアロックスイッチ６ａ２〜６ｄ２の一方のみを車両ドア１１〜１４に設けて、アンロックのための操作部、及びロックのための操作部として兼用しても良い。
【００４１】
本実施形態における車載機器制御システムでは、車両のセキュリティ性を向上するために、エンジンスイッチが操作されたときに、ＩＤコードの照合結果に応じて、エンジンの始動を許可・禁止する制御を行う。すなわち、車両側ユニットにおける照合ＥＣＵ４は、エンジンの運転状態を制御するエンジン制御装置９に接続され、ＩＤコードの照合結果に応じて、エンジンの始動の許可あるいは禁止を指示する制御信号を出力する。なお、照合ＥＣＵ４は、ドアロック制御の実行時に、併せてエンジン制御装置９に対してエンジンを始動禁止状態に設定するよう指示する。
【００４２】
さらに、車両側ユニットは、警報機１５を有し、車両ドア１１〜１４をロックする際に、携帯機１が車室内に置き忘れられているか否か等を判定して、置き忘れの可能性がある場合等に、警報機１５によって警報を実施する。なお、警報機１５による警報は、音声、ブザー、発光等によって行われる。
【００４３】
ここで、上述した車載機器制御システムによる、各ドア１１〜１４のアンロック制御について簡単に説明する。
【００４４】
車両１０のエンジンが停止され、かつ各ドア１１〜１４がロックされた状態で駐車されている場合、照合ＥＣＵ４は、所定時間経過毎に車室外送信機２ａ〜２ｄに対してリクエスト信号の送信を指示して、携帯機１の保持者が車両１０に接近したか否か確認する。
【００４５】
このとき、車室外送信機２ａ〜２ｄから、車室外送信機２ａ〜２ｄごとに固有の識別コードを含むリクエスト信号が送信され、携帯機１は、その識別コードを含むレスポンス信号を返送するように構成される。これにより、携帯機１の保持者が、いずれの車両ドア１１〜１４に対して接近しているのかを識別できる。なお、携帯機１の保持者が接近している車両ドア１１〜１４の位置を識別するには、照合ＥＣＵ４が、各送信機２ａ〜２ｄに対し、時間的にずれたタイミングで順番にリクエスト信号を送信するように指示しても良い。
【００４６】
車室外送信機２ａ〜２ｄのいずれかのリクエスト信号に対して、携帯機１がレスポンス信号を返送すると、そのレスポンス信号が、車両側ユニットの受信機３によって受信される。照合ＥＣＵ４は、そのレスポンス信号に含まれるＩＤコードが予め登録してある登録コードに一致等、所定の関係を満足するか否か、ＩＤコードの照合を行う。
【００４７】
照合ＥＣＵ４において、ＩＤコードの照合ＯＫと判定すると、照合ＥＣＵ４は、レスポンス信号に含まれる識別コードから携帯機１の保持者の位置を判別する。そして、その位置に該当する車両ドア１１〜１４のタッチセンサ６ａ１〜６ｄ１を起動することにより、車両ドア１１〜１４をアンロックスタンバイ状態にするように、ボデーＥＣＵ７に対して指示を与える。この指示信号に基づいて、ボデーＥＣＵ７は、車両ドア１１〜１４のいずれかをアンロックスタンバイ状態に設定する。
【００４８】
携帯機１の保持者が、アンロックスタンバイ状態に設定された車両ドア１１〜１４のドアハンドル６ａ〜６ｄに触れると、その携帯機１の保持者のドアハンドル操作がタッチセンサ６ａ１〜６ｄ１によって検出され、その検出信号は照合ＥＣＵ４に送信される。すると、照合ＥＣＵ４は、全ての車両ドア１１〜１４をアンロックすべく、ボデーＥＣＵ９に指示を与える。この指示信号に基づいて、ボデーＥＣＵ９は、各車両ドア１１〜１４のロック制御部５ａ〜５ｄにアンロック駆動信号を出力して、各車両ドア１１〜１４をアンロックする。
【００４９】
次に、本実施形態の特徴部分に係わる、各ドア１１〜１４のロック制御について説明する。本実施形態では、ユーザが車両から離れることで自動的に車両ドア１１〜１４をロックするオートロック方式と、ユーザがドアロックスイッチ６ａ２〜６ｄ２を操作したことをトリガとして、車両ドア１１〜１４をロックするトリガロック方式とのいずれの方式によっても、車両ドアをロックすることができるように構成されている。
【００５０】
以下、本実施形態におけるロック制御について、図３及び図４のフローチャートに基づいて説明する。なお、図３のフローチャートは、オートロック方式によるロック制御を示し、図４のフローチャートは、トリガロック方式によるロック制御を示すものである。
【００５１】
まず、図３のステップＳ１０では、携帯機１の保持者が車両から降車したことを検出するために、車両ドア１１〜１４が開閉されたか否かを判定する。なお、車両ドア１１〜１４が開閉されたか否かは、例えば図示しないカーテシランプスイッチからの信号に基づいて判定できる。この判定処理において、車両ドア１１〜１４が開閉されたと判定された場合のみ、ステップＳ２０以降の処理が実行される、従って、車両ドア１１〜１４をロックすべきか否かを判定することが必要な時に限って、ステップＳ２０以降の処理によって車室内送信機２ｅと携帯機１との相互通信を行わせることができる。その結果、車室内送信機２ｅ及び携帯機１とも無駄に電力を消費することを防止できる。なお、この場合、併せて、エンジンが停止されたことを、車室内送信機２ｅと携帯機１との相互通信を行わせる条件として採用しても良い。
【００５２】
ステップＳ２０では、車室内送信機２ｅから低出力レベルでリクエスト信号を送信する。これにより、車室内送信機２ｅと携帯機１との通信エリアは、第１の車室内通信エリアとなる。このとき、受信機３において、ＩＤコードの照合結果がＯＫとなるレスポンス信号が受信されると、携帯機１が車室内に置き忘れられている可能性が高い。従って、ステップＳ３０では、ステップＳ２０におけるリクエスト信号の送信に応答して、ＩＤコードの照合結果がＯＫとなるレスポンス信号が受信されたか否かを判定し、この判定結果が「Ｙｅｓ」である場合、ステップＳ１１０に進んで、警報機１５により携帯機１の置き忘れ警報を実施する。
【００５３】
ここで、車両側ユニットにおける各送信機２ａ〜２ｅと携帯機１との双方向通信における通信手順について、詳しく説明する。なお、以下の説明では、携帯機１が車両側ユニットにおける車室外送信機２ａと通信する場合を例として説明する。
【００５４】
通信が開始される以前は、携帯機１は、スリープ状態にある。そのため、車室外送信機２ａは、携帯機１をウエイクアップさせるための起動要求信号を送信する。携帯機１は、この起動要求信号によってウエイクアップし、第１のアクノリッジ信号（以下、第１のＡＣＫ信号）を返送する。受信機３が第１のＡＣＫ信号を受信すると、車室外送信機２ａは、車両ごとに異なる車両ＩＤコードを含み、携帯機１が同じ車両ＩＤコードを有する場合に第２のＡＣＫ信号の返送を要求する第１の送信要求信号を送信する。携帯機１は、第１の送信要求信号を受信すると、その第１の送信要求信号に含まれる車両ＩＤコードと同様の車両ＩＤコードを有している場合に、第２のＡＣＫ信号を返送する。
【００５５】
受信機３が第２のＡＣＫ信号を受信すると、車室外送信機２ａは、送信機ごとに異なるコードを含み、ＩＤコードの送信を要求する第２の送信要求信号を送信する。携帯機１は、この第２の送信要求信号に含まれるコードを利用してレスポンスコードを作成し、このレスポンスコード及びＩＤコードを含む応答信号を送信する。なお、車室外送信機２ａが起動要求信号及び第１の送信要求信号を送信したときに、携帯機１から第1及び第２のＡＣＫ信号が返送されないと、通信エリア内に携帯機１は存在しないとみなして、通信を終了する。
【００５６】
上述したように、レスポンスコードは、送信機ごとに異なるコードを利用して作成されるので、電子キーＥＣＵ４は、このレスポンスコードから、携帯機１がいずれの送信機２ａ〜２ｅからの信号に応答して応答信号を送信したかを把握できる。なお、上述した通信処理において、起動要求信号と第１及び第２の送信要求信号とが、送信機から送信されるリクエスト信号に該当し、第１及び第２のＡＣＫ信号と応答信号とが、携帯機１から送信されるレスポンス信号に該当する。
【００５７】
ただし、上述したように、送信機ごとに異なるコードを利用せずとも、例えば、各送信機からリクエスト信号を送信するタイミングをずらすことによって、携帯機１がいずれの送信機からのリクエスト信号に応答してレスポンス信号を返送したかを把握することも可能である。また、車室内送信機２ｅと車室外送信機２ａ〜２ｄとのリクエスト信号送信時期は異なり、かつ車室内送信機２ｅは、携帯機１が車室内に存在することが確認できれば良いので、上述したコードを利用しなくとも良い。さらに、上述した通信手順において、車両側ユニットからの第１の送信要求信号の送信、及びそれに対応する携帯機１からの第２のＡＣＫ信号の送信は、省略されても良い。
【００５８】
上述した通信手順に従って、携帯機１からＩＤコードを含むレスポンス信号を受信すると、照合ＥＣＵ４は、そのレスポンス信号に含まれるＩＤコードが、予め登録してある登録コードと一致する等、所定の関係を満足するか否かを判定する。そして、所定の関係を満足する場合には、ＩＤコードの照合ＯＫ、満足しない場合には、ＩＤコードの照合ＮＧと判別される。
【００５９】
ステップＳ３０にて、ＩＤコードの照合結果がＯＫとなるレスポンス信号が受信されないと判定された場合、ステップＳ４０にて、車室内送信機２ｅから高出力レベルでリクエスト信号を送信する。これにより、車室内送信機２ｅと携帯機１との通信エリアは、完全に車室内をカバーするとともに、車両ドアの窓を介して漏れるリクエスト信号の送信電波によって車室外まで拡張された第２の車室内通信エリアとなる。そして、ステップＳ５０において、ステップＳ４０で送信されたリクエスト信号に応答して、ＩＤコードの照合結果がＯＫとなるレスポンス信号が受信されたか否かを判定する。
【００６０】
ステップＳ４０にて、高出力レベルでリクエスト信号が送信されるので、携帯機１を保持したユーザが車両１０の近傍にいる場合には、ステップＳ５０での判定結果が「Ｙｅｓ」となる場合がある。この場合には、処理はステップＳ６０に進んで、レスポンス信号の受信回数が所定回数となったか否かを判定する。このステップＳ６０の判定において、所定回数未満と判定されると、ステップＳ４０からの処理を繰り返し実行する。
【００６１】
そして、携帯機１を保持したユーザが車両１０から遠ざかると、ステップＳ５０において、レスポンス信号が受信されないと判定されるようになる（レスポンス信号の受信不成立）。この場合、携帯機１はユーザによって車室外に持ち出されたのであるから、ステップＳ７０に進んで、車両１０の全ての車両ドア１１〜１４が閉じられているか否かを判定する。このとき、いずれかの車両ドア１１〜１４が開いていると判定した場合、ステップＳ８０に進んで、警報機１５を用いて、車両ドアを確認するように警報を発する。この警報によってユーザが車両ドアを閉めた場合には、ステップＳ７０において全てのドアが閉じられていると判定される。この場合、処理はステップＳ９０に進む。
【００６２】
ステップＳ９０では、全ての車両ドア１１〜１４をロックするように、各ドアロック制御部５ａ〜５ｄに指示する。このように、全ての車両ドア１１〜１４が閉扉されていることが確認された場合に、全ての車両ドア１１〜１４を同時期にロックさせるので、車両ドア１１〜１４のロック忘れを防止することができる。また、このドアロックと同時に、照合ＥＣＵ４は、エンジン制御装置９に対してエンジンを始動禁止状態に設定するよう指示する。
【００６３】
なお、ステップＳ６０の判定処理において、レスポンス信号の受信回数が所定回数に達したと判定された場合には、携帯機１が車両の近傍にあり続ける状況であるため、ステップＳ１００に進んで、携帯機１の位置を確認するように警報する。すなわち、上述した状況では、携帯機１は、車室内における第１の通信エリアの不感帯エリアに存在していたり、携帯機１を保持しているユーザが車室外の電波漏れエリア内に止まっていたりすることが考えられる。この場合には、車室内送信機２ｅ及び携帯機１における消費電力抑制のため、相互通信を終了させるのである。また、警報により、ユーザに携帯機１の位置の確認を促すのである。
【００６４】
上述したように、オートロック方式によるドアロック制御においては、まず、車室内送信機２ｅと携帯機１との通信エリアが第１の通信エリアに設定して相互通信を試みても、携帯機１からのレスポンス信号が受信されない場合、その後、車室内送信機２ｅと携帯機１との通信エリアを第２の通信エリアに設定して、再度、相互通信を試みるようにしている。これにより、携帯機１の車室内から車室外への移動を追跡するように、携帯機１の位置をモニタすることができる。
【００６５】
ただし、車室内送信機２ｅと携帯機１との通信エリアが第２の通信エリアに設定して、相互通信を試みることにより、携帯機１が車室内に置き忘れられているかどうかを確認することができるので、第１の通信エリアによる相互通信の試行は省略しても良い。
【００６６】
上述したオートロック方式によるドアロック制御処理中に、ドアロックスイッチ６ａ２〜６ｄ２が操作された場合、割込処理により、トリガロック方式によるドアロック制御が実行される。すなわち、ドアロックスイッチ６ａ２〜６ｄ２の操作（図４のステップＳ１２０）に応じて、図３のフローチャートに示すオートロック方式によるドアロック制御が中断され、図４のフローチャートに示す処理が開始される。
【００６７】
ステップＳ１３０では、車室内送信機２ｅから低出力レベルでリクエスト信号を送信する。これにより、車室内送信機２ｅと携帯機１との通信エリアは、上述した第１の車室内通信エリアとなり、車室外へのリクエスト信号の送信電波漏れを防止できる。従って、携帯機１の保持者が、ドアロックスイッチ６ａ２〜６ｄ２を操作するために、車両の近傍に止まっていても、携帯機１が車室内送信機２ｅからのリクエスト信号に応答してレスポンス信号を返送することを防止できる。
【００６８】
ステップＳ１４０では、ステップＳ１３０におけるリクエスト信号の送信に応答して、ＩＤコードの照合結果がＯＫとなるレスポンス信号が受信されたか否かが判定される。この判定処理において「Ｙｅｓ」と判定された場合、ユーザは携帯機１を車室内に置き忘れている可能性があるので、図３のフローチャートのステップＳ１１０に進んで、警報機１５により携帯機１の置き忘れ警報を実施する。
【００６９】
一方、ＩＤ照合がＯＫとなるレスポンス信号が受信されないと判定されると（レスポンス信号受信不成立）、ステップＳ１５０に進む。ステップＳ１５０では、操作されたドアハンドル６ａ〜６ｄに対応する車室外送信機２ａ〜２ｄ、もしくはすべての車室外送信機２ａ〜２ｄからリクエスト信号を送信させる。そして、ステップＳ１６０では、ステップＳ５０にて送信されたリクエスト信号に応答して、ＩＤコードの照合結果がＯＫとなるレスポンス信号を受信したか否かを判定する。
【００７０】
ステップＳ１６０の判定処理において、ＩＤコードの照合結果がＯＫとなるレスポンス信号が受信されたと判定されると、ドアロックスイッチ６ａ２〜６ｄ２を操作したユーザは携帯機１を保持しているとみなされるので、図３のフローチャートのステップＳ７０の処理に進む。一方、ＩＤコードの照合結果がＯＫとなるレスポンス信号が受信されない場合、ドアロックスイッチ６ａ２〜６ｄ２は、携帯機１を保持した正規のユーザ以外の第三者によって操作された可能性が高いため、上述したオートロック方式によるドアロック制御における中断した処理に復帰する。このように、ドアロックスイッチ６ａ２〜６ｄ２が操作されたときに、車室内送信機２ｅと携帯機１との相互通信に加え、車室外送信機２ａ〜２ｄと携帯機１との相互通信を試みることにより、携帯機１の車室内への置き忘れのみでなく、携帯機１を保持したユーザによる操作であるか確認することができる。そして、携帯機１を保持したユーザ以外の第三者による操作である場合には、中断したオートロック方式によるドアロック制御を再開するので、オートロック方式によるドアロック制御を継続させることができる。
【００７１】
以上、説明したように、本実施形態による車載機器制御システムにおいては、トリガロック方式によるドアロック制御時の車室内通信エリアの大きさを、オートロック方式によるドアロック制御時の車室内通信エリアの大きさよりも小さく設定した。すなわち、オートロック方式による車両ドアロック制御時には、車室内全体をカバーする第２の通信エリアを設定する一方で、トリガロック方式による車両ドアロック制御時には、車両１０の近傍に位置するユーザが保持する携帯機１との通信が不成立となる程度の大きさを持つ第１の通信エリアを設定した。従って、オートロック方式及びトリガロック方式のいずれの場合であっても、車室内への携帯機１の置き忘れを防止しつつ、車両ドア１１〜１４を適切にロックすることが可能になる。
【００７２】
以上、本発明の好ましい実施形態について説明したが、本発明は上述した実施形態になんら制限されることなく、本発明の主旨を逸脱しない範囲において、種々、変形して実施することが可能である。
【００７３】
例えば、上述した実施形態では、オートロック方式による車両ドアロック制御時に、まず、第１の通信エリアにおいて車室内送信機２ｅと携帯機１との相互通信を試みて、レスポンス信号が受信されなければ、第２の通信エリアにおいて、再度、車室内送信機２ｅと携帯機１との相互通信を試みた。そして、この第２の通信エリアにおける相互通信においても、携帯機１からのレスポンス信号が受信されなくなると、車両ドア１１〜１４をロックするようにした。
【００７４】
しかしながら、図５のフローチャートに示すように、さらに、車室外送信機２ａ〜２ｄと携帯機１との相互通信を行わせて、携帯機１からのレスポンス信号が受信されなくなったときに、車両ドア１１〜１４をロックするようにしても良い。すなわち、図５のステップＳ１７０に示すように、車室外送信機２ａ〜２ｄからリクエスト信号を送信させ、このリクエスト信号に応答して、ＩＤコードの照合結果がＯＫとなるレスポンス信号が受信されたか否かをステップＳ１８０にて判定する。ユーザが車両１０から降車した直後は、また車室外送信機２ａ〜２ｄと携帯機１との通信が成立するが、通常、レスポンス信号の受信回数がステップＳ１９０にて判定される所定回数に達する以前に、ユーザは車両１０から離れて、レスポンス信号の受信が不成立となる。この場合、図３のフローチャートのステップＳ７０〜Ｓ９０の処理を実行して車両ドア１１〜１４をロックする。
【００７５】
このように、車室外送信機２ａ〜２ｄと携帯機１との相互通信において、携帯機１からのレスポンス信号の受信が不成立となったタイミングで車両ドア１１〜１４をロックすることにより、携帯機１がユーザによって車室外送信機２ａ〜２ｄと携帯機１との通信エリア外まで持ち出されたことを確認した上で、車両ドアをロックすることができる。
【００７６】
さらに、上述したように、オートロック方式において、第１の通信エリアにおける車室内送信機２ｅと携帯機１との相互通信の実施は任意であり、図５のフローチャートに示す例においても、それは当て嵌まる。すなわち、図６のフローチャートに示すように、オートロック方式による車両ドアロック制御では、第２の通信エリアにおける車室内送信機２ｅと携帯機１との相互通信、及び車室外送信機２ａ〜２ｄと携帯機１との相互通信において、ともに携帯機１からのレスポンス信号の受信が不成立となったことを条件として、車両ドア１１〜１４をロックするようにしても良い。
【００７７】
また、上述した実施形態では、車室内送信機２ｅにおけるレスポンス信号送信出力レベルを変化させることにより、車室内送信機２ｅと携帯機１との通信エリアを、第１の通信エリアと第２の通信エリアとのいずれかに設定した。しかしながら、車室内送信機２ｅと携帯機１との通信エリアの大きさは、携帯機１における受信感度によって変化させることも可能である。
【００７８】
携帯機１における受信感度を、第１の通信エリアに対応する低感度と第２の通信エリアに対応する高感度に切り換えるためには、上述した送信機２ａ〜２ｅと携帯機１との通信手順における起動要求信号、もしくは第１の送信要求信号を利用する。すなわち、車室内送信機２ｅは、携帯機１に対して低感度での受信を指示する起動要求信号Ａ（若しくは第１の送信要求信号Ａ）と、高感度での受信を指示する起動要求信号Ｂ（若しくは第１の送信要求信号Ｂ）との２種類の信号を送信する。これにより、携帯機１の受信感度を低感度と高感度のいずれかに任意に切り換えることが可能になる。
【００７９】
さらに、車室内送信機２ｅのリクエスト信号送信出力レベルの調整と、携帯機１における受信感度の切り換えを同時に行っても良い。
【００８０】
また、上述した実施形態においては、車両側ユニットにおける照合ＥＣＵ４は、ＩＤコードの照合結果に応じて、エンジン制御装置９に対してエンジンの始動の許可あるいは禁止を指示する制御信号を出力する。これは、携帯機１を保持した正規のユーザが車両に乗車していることを、エンジン始動の条件とするために行っているものであるが、携帯機１からＩＤコードを含むレスポンス信号を受信するための車室内送信機２ｅとの通信エリアは、第１の通信エリアに設定されることが好ましい。これにより、携帯機１が車室外にあるにも係わらず、エンジンの始動が可能となる事態の発生を防止することができる。
【００８１】
さらに、上述した実施形態において、車両ドアがロックされた場合、車両側において例えばハザードランプを点灯したり、携帯機１にブザーやライトを設けて音や光を発生させて、ドアロックが行われたことをユーザに報知するようにしても良い。これは、特に、オートロック方式によるドアロック制御時には、ユーザは何らロックのための操作を行わないので、ロック忘れの防止のために有効である。
【図面の簡単な説明】
【００８２】
【図１】第１実施形態における車載機器制御システムの全体の構成を示す構成図である。
【図２】車室内送信機の通信エリアについて説明するための説明図である。
【図３】オートロック方式によるドアロック制御を示すフローチャートである。
【図４】トリガロック方式によるドアロック制御を示すフローチャートである。
【図５】ドアロック制御の変形例を示すフローチャートである。
【図６】ドアロック制御のその他の変形例を示すフローチャートである。
【符号の説明】
【００８３】
１  携帯機
１ａ  受信機
１ｂ  送信機
１ｃ  携帯機ＥＣＵ
２ａ〜２ｄ  車室外送信機
２ｅ  車室内送信機
３  受信機
４  照合ＥＣＵ
６ａ２〜６ｄ２  ドアロックスイッチ
１０  車両
【図１】
0004604904.tif 000002
【図２】
0004604904.tif 000003
【図３】
0004604904.tif 000004
【図４】
0004604904.tif 000005
【図５】
0004604904.tif 000006
【図６】
0004604904.tif 000007